(57)【要約】【課題】測定精度が低下させずに環境状態を遠隔で検知することができる遠隔検知装置を提供する。【解決手段】被検体の温度を検知する測定用タグ２０から共振信号Ｓｆを受信し、測定用タグ２０が検知した被検体の温度を取得する検知装置１０において、校正データ記憶部１５４には、測定用タグ２０に係る校正データが予め記憶されている。検知装置１０は、収容部１０Ａを備え、温度センサ１０Ｓから収容部１０Ａ内の温度を取得する。また、検知装置１０は、収容部１０Ａ内に収容された測定用タグ２０から共振信号Ｓｆを受信し校正データおよび共振信号Ｓｆに基づいて、測定用タグ２０が検知した収容部１０Ａ内の温度を取得する。取得した二つの温度を対比し、対比結果に基づいて、校正データ記憶部１５４に記憶された校正データを再校正する。【選択図】図２
2012181675.tif 000002
【特許請求の範囲】
【請求項１】
周囲の環境状態を検知し、検知した環境状態に対応付けられた出力信号を出力する無線機器から前記出力信号を受信し、該出力信号に基づいて前記無線機器が検知した環境状態を取得する遠隔検知装置において、
前記無線機器に設定された環境状態および出力信号の関係に係るデータを記憶する記憶手段と、
前記無線機器を収容する収容部と、
該収容部内の環境状態を取得する第１取得手段と、
前記収容部内に収容された無線機器から出力信号を受信する受信手段と、
前記記憶手段に記憶されたデータおよび前記受信手段が受信した出力信号に基づいて、前記無線機器が検知した前記収容部内の環境状態を取得する第２取得手段と、
前記第１取得手段および前記第２取得手段が取得した環境状態を対比する対比手段と、
該対比手段が対比した結果、前記環境状態が一致しない場合、前記対比手段による対比結果に基づいて前記記憶手段に記憶されたデータを調整する調整手段と、
を備える遠隔検知装置。
【請求項２】
前記収容部に前記無線機器が収容された場合、前記調整手段によるデータの調整が完了したことを通知する通知手段をさらに備える請求項１に記載の遠隔検知装置。
【請求項３】
前記収容部は開閉可能な扉を有しており、
前記通知手段は、
前記調整手段によるデータの調整が完了するまで前記扉を施錠し、完了したときに前記扉を開錠する請求項２に記載の遠隔検知装置。
【請求項４】
前記扉は、前記通知手段により開錠された場合、自動的に開く構成としてある請求項３に記載の遠隔検知装置。
【請求項５】
前記通知手段は、前記調整手段によるデータの調整が完了したことを光により通知する請求項２に記載の遠隔検知装置。
【請求項６】
前記収容部は複数の無線機器を収容可能である請求項１から５の何れか一つに記載の遠隔検知装置。
【請求項７】
前記収容部を複数備えており、
前記第１取得手段および前記受信手段は、前記収容部それぞれに対して備えられている請求項１から６の何れか一つに記載の遠隔検知装置。
【請求項８】
前記無線機器は、所定周波数の信号を受信すると共振して出力信号を出力する構成としてあり、
前記所定周波数の信号を前記収容部内へ出力する手段をさらに備える請求項１から７の何れか一つに記載の遠隔検知装置。
【発明の詳細な説明】
【技術分野】
【０００１】
本発明は、離れた位置から環境状態（例えば、被検体の温度等）を検知できる遠隔検知装置に関する。
【背景技術】
【０００２】
特許文献１には、トランスポンダと呼ばれる通信方式を用いたシステムが開示されている。図１は特許文献１に記載のシステムの構成を模式的に示す図である。図１において、特許文献１に記載のシステムは、被検体（例えば、実験動物）に備えられるトランスポンダ２００と、トランスポンダ２００と通信する質問機１００とを備えている。
【０００３】
トランスポンダ２００は、質問機１００から特定の周波数の信号を受信すると、例えばサーミスタにより検知した被検体の温度を質問機１００に対して送信する。これにより、質問機１００は、トランスポンダ２００が備えられた被検体の温度情報を取得することが可能となる。
【０００４】
この特許文献１には、トランスポンダ２００から被検体の正確な温度を取得するために、温度が既知である水などの液体にトランスポンダ２００を入れ、トランスポンダ２００から質問機１００に送信された温度と、実際の液体の温度とを比較することによって、トランスポンダ２００を校正する方法が開示されている。
【先行技術文献】
【特許文献】
【０００５】
【特許文献１】特開平８−２０４６１０号公報
【発明の概要】
【発明が解決しようとする課題】
【０００６】
しかしながら、特許文献１に記載のようにトランスポンダを校正する方法では、校正を行うための環境を準備する必要があり、トランスポンダを校正する際の作業時間や作業場所が制限されるといった課題がある。
【０００７】
また、トランスポンダを校正する環境と、実際にトランスポンダを使用する環境とは必ずしも同じ環境ではないため、その環境差により、トランスポンダの温度測定の際、測定精度が低下するといった問題もある。
【０００８】
そこで、本発明の目的は、測定精度が低下させずに環境状態を遠隔で検知することができる遠隔検知装置を提供することにある。
【課題を解決するための手段】
【０００９】
本発明は、周囲の環境状態を検知し、検知した環境状態に対応付けられた出力信号を出力する無線機器から前記出力信号を受信し、該出力信号に基づいて前記無線機器が検知した環境状態を取得する遠隔検知装置において、前記無線機器に設定された環境状態および出力信号の関係に係るデータを記憶する記憶手段と、前記無線機器を収容する収容部と、該収容部内の環境状態を取得する第１取得手段と、前記収容部内に収容された無線機器から出力信号を受信する受信手段と、前記記憶手段に記憶されたデータおよび前記受信手段が受信した出力信号に基づいて、前記無線機器が検知した前記収容部内の環境状態を取得する第２取得手段と、前記第１取得手段および前記第２取得手段が取得した環境状態を対比する対比手段と、該対比手段が対比した結果、前記環境状態が一致しない場合、前記対比手段による対比結果に基づいて前記記憶手段に記憶されたデータを調整する調整手段と、を備える。
【００１０】
この構成では、無線機器を収容部に収容でき、無線機器に収容部内の環境状態を検知させると共に、別に収容部内の環境状態を取得する。そして、取得した二つの環境状態が一致しない場合には、記憶されたデータを調整する。これにより、遠隔検知装置は、無線機器に設定されていた環境状態および出力信号の関係にズレが生じた場合であっても、収容部にその無線機器を収容して、自身が記憶しているデータを調整（再校正）することで、無線機器が検知した環境情報をより正確に取得することができる。
【００１１】
本発明に係る遠隔検知装置は、前記収容部に前記無線機器が収容された場合、前記調整手段によるデータの調整が完了したことを通知する通知手段をさらに備えることが好ましい。
【００１２】
この構成では、収容部に収容した無線機器に対応する記憶したデータの調整が完了したことが通知されるため、ユーザは無線機器が使用可能であるかの判断が容易となる。
【００１３】
本発明に係る遠隔検知装置において、前記収容部は開閉可能な扉を有しており、前記通知手段は、前記調整手段によるデータの調整が完了するまで前記扉を施錠し、完了したときに前記扉を開錠する構成であってもよい。
【００１４】
この構成では、データの調整（校正）が完了するまで収容部の扉を開けることができないため、ユーザは無線機器が使用可能であるかの判断が容易となる。
【００１５】
本発明に係る遠隔検知装置において、前記扉は、前記通知手段により開錠された場合、自動的に開く構成としてあってもよい。
【００１６】
この構成では、データの調整（校正）が完了すると、例えば、バネの弾性力により扉を自動的に開くようにすることで、ユーザは無線機器が使用可能であるかの判断が容易となる。
【００１７】
本発明に係る遠隔検知装置において、前記通知手段は、前記調整手段によるデータの調整が完了したことを光により通知する構成でもよい。
【００１８】
この構成では、ユーザは、視覚により無線機器が使用可能であるかの判断が可能となる。
【００１９】
本発明に係る遠隔検知装置において、前記収容部は複数の無線機器を収容可能であってもよい。
【００２０】
この構成では、無線機器を複数使用する場合に、収容部に無線機器を入れ替えるユーザの手間を省くことができる。
【００２１】
本発明に係る遠隔検知装置は、前記収容部を複数備えており、前記第１取得手段および前記受信手段は、前記収容部それぞれに対して備えられていていてもよい。
【００２２】
この構成では、無線機器を複数使用する場合に、収容部に無線機器を入れ替えるユーザの手間を省くことができる。
【００２３】
本発明に係る遠隔検知装置において、前記無線機器は、所定周波数の信号を受信すると共振して出力信号を出力する構成としてあり、前記所定周波数の信号を前記収容部内へ出力する手段をさらに備えていてもよい。
【００２４】
この構成では、所定周波数の信号を送信すれば、無線機器から出力信号が出力されるため、データの調整（校正）を開始するタイミングを調整できる。
【発明の効果】
【００２５】
本発明によれば、無線機器に設定されていた環境状態および出力信号の関係にズレが生じた場合であっても、収容部にその無線機器を収容して、自身が記憶しているデータを調整（再校正）することで、無線機器が検知した環境情報をより正確に取得することができる。
【図面の簡単な説明】
【００２６】
【図１】特許文献１に記載のシステムの構成を模式的に示す図
【図２】実施形態に係る検知装置の構成を示すブロック図
【図３】一つの収容部を備えた検知装置の例を示す模式図
【図４】複数の収容部を備えた検知装置の例を示す模式図
【図５】収容部の形成態様の一例を示す図
【図６】複数の測定用タグが収容可能な収容部を備えた検知装置の例を示す模式図
【図７】シート状の測定用タグを収容する収容部を備えた検知装置の例を示す模式図
【発明を実施するための形態】
【００２７】
図２は、実施形態に係る検知装置の構成を示すブロック図である。検知装置１０は、無線通信する測定用タグ（無線機器）２０と対になって使用される装置である。測定用タグ２０は、本発明に係る環境状態として、装着された被検体の温度を検知し、検知温度に伴った所定周波数の出力信号を出力する。検知装置１０は、測定用タグ２０からの出力信号を受信することで、被検体と離れた位置で被検体の温度を検知することができる。
【００２８】
測定用タグ２０を装着する被検体は、人や動物であってもよいし、人の出入りが困難な環境にある機器や自然物であってもよい。また、測定用タグ２０は、被検体の表面温度を検知するものであってもよいし、被検体の周囲温度を検知するものであってもよい。また、測定用タグ２０は温度以外に、例えば湿度や震度、傾度等を検知するものであってもよい。さらに、測定用タグ２０は、可撓性を有するシート状であってもよいし、タブレット状であってもよい。
【００２９】
測定用タグ２０は、ＳＡＷ（Surface Acoustic Wave）振動子２１およびコイル電極２２を備えている。ＳＡＷ振動子２１は、感知温度に応じて所定の共振周波数で共振する素子である。コイル電極２２は、測定用タグ２０のアンテナとして機能し、検知装置１０との間で行う通信の周波数に応じた形状で形成されている。
【００３０】
コイル電極２２は、検知装置１０から送信されるパルス信号Ｓｐを受信し、ＳＡＷ振動子２１へ印加する。ＳＡＷ振動子２１は、印加されたパルス信号Ｓｐによって励振する。ＳＡＷ振動子２１は、パルス信号Ｓｐが印加されなくなった後も一定期間、励振（残響）し続ける。ＳＡＷ振動子２１は、振動が電気信号としてコイル電極２２へ給電され、コイル電極２２から出力信号（以下、共振信号Ｓｆという）が放射される。
【００３１】
この共振信号Ｓｆの周波数はＳＡＷ振動子２１の検知温度によって変化し、温度と周波数とが一意に決められている。従って、検知装置１０が共振信号の周波数と温度との関係を予め記憶していれば、検知装置１０は、測定用タグ２０から共振信号Ｓｆを受信することで、測定用タグ２０が検知した温度を取得することができる。
【００３２】
なお、検知装置１０と測定用タグ２０との間の通信方式は、磁界結合、電界結合又は電波等、何れの通信方式でもよく、検知装置１０の使用用途によって適宜変更可能である。また、測定用タグ２０は、ＳＡＷ振動子２１に替えて、水晶振動子、セラミック振動子又はＬＣ共振器等を備えるようにしてもよい。
【００３３】
検知装置１０は、測定用タグ２０に対してパルス信号Ｓｐを送信し、パルス信号Ｓｐを受信した測定用タグ２０から共振信号Ｓｆを受信することで、測定用タグ２０が装着された被検体に関する温度（表面温度又は周囲温度）を検知する。また、検知装置１０は、測定用タグ２０が収容できる収容部１０Ａを備えており、収容部１０Ａに収容した測定用タグ２０の校正を行う。
【００３４】
校正とは、ＳＡＷ振動子２１の検知温度とＳＡＷ振動子２１が出力する共振信号Ｓｆの周波数との一意の関係を決める作業をいう。測定用タグ２０のＳＡＷ振動子２１は予め校正が行われており、検知装置１０は、その校正結果（以下、校正データという）を記憶している。しかしながら、校正してから測定用タグ２０を実際に使用するまでの時間経過、又は校正場所から使用場所までの搬送時の振動等が原因で、ＳＡＷ振動子２１における一意の関係（周波数特性）にズレが生じる場合がある。
【００３５】
このため、測定用タグ２０が出力する共振信号Ｓｆは検知温度に正確に対応しておらず、検知装置１０がその共振信号Ｓｆから検知する被検体の温度と、実際の被検体の温度との間には誤差が生じるおそれがある。そこで、本実施形態に係る検知装置１０は、収容部１０Ａに収容した測定用タグ２０の校正を行えるようにすることで、実際に使用する直前に測定用タグ２０を再校正することができるようにしている。
【００３６】
なお、収容部１０Ａは断熱槽または恒温槽となっており、外部からの電波などに影響されないよう電磁シールドを有している。また、収容部１０Ａ内には内部温度を検知する温度センサ（第１取得手段）１０Ｓが設けられている。さらに、収容部１０Ａは、測定用タグ２０を出し入れするための開閉可能な扉（図示せず）を有し、扉にはロック機構１０Ｂが設けられている。
【００３７】
検知装置１０は、制御部１１、送信信号生成部１２、送受信部１３、アンテナ１４Ａ,１４Ｂ、計測部１５、操作部１６、表示部１７および開閉制御部（通知手段）１８を備えている。制御部１１は、操作部１６からの操作入力に応じて各種の制御処理を実行する。例えば、操作部１６から温度測定開始又は校正開始の操作入力を受け付けると、制御部１１は、送信信号生成部１２に測定用タグ２０に送信すべきパルス信号の生成制御を開始させる。
【００３８】
送信信号生成部１２は、パルス信号の生成制御を開始すると、パルス信号Ｓｐを生成し、送受信部１３へ出力する。送受信部１３は、パルス信号Ｓｐを測定用タグ２０側へ出力する。アンテナ１４Ａ,１４Ｂは、測定用タグ２０から放射された共振信号Ｓｆを受信し、送受信部１３へ出力する。送受信部１３は、共振信号Ｓｆを計測部１５へ出力する。
【００３９】
ここで、アンテナ１４Ａは、被検体に装着された測定用タグ２０との間で通信を行うアンテナである。アンテナ（受信手段）１４Ｂは、収容部１０Ａ内に設けられ、検知装置１０の収容部１０Ａに収容された測定用タグ２０との間で通信を行うアンテナである。なお、送受信部１３は、操作部１６からの操作入力に応じて、パルス信号Ｓｐを送信するアンテナを、アンテナ１４Ａ,１４Ｂの何れかに切り替える
計測部１５は、周波数変換部１５１、温度取得部（第２取得手段）１５２、校正部（対比手段、調整手段）１５３および校正データ記憶部（記憶手段）１５４を備えている。校正データ記憶部１５４には、予め校正データが記憶されている。周波数変換部１５１は、ＦＦＴ（Fast Fourier Transform）処理等により、時間軸の共振信号Ｓｆから周波数スペクトルを取得する。
【００４０】
温度取得部１５２は、校正データ記憶部１５４に記憶された校正データを参照して、受信した共振信号Ｓｆの周波数スペクトルのピークに関連付けられた温度を取得する。操作部１６からから温度測定開始の操作入力を受け付けた場合、温度取得部１５２は、検知した温度を、測定用タグ２０が装着された被検体の温度として表示部１７に出力する。操作部１６から校正開始の操作入力を受け付けた場合、温度取得部１５２は、取得した温度を校正部１５３へ出力する。
【００４１】
校正部１５３は、収容部１０Ａに収容された測定用タグ２０の校正を行い、校正データ記憶部１５４に記憶されている校正データを更新する。具体的には、校正部１５３は、収容部１０Ａの内部温度を温度センサ１０Ｓから取得する。そして、校正部１５３は、温度取得部１５２から出力された温度と、温度センサ１０Ｓから取得した温度とを対比する。
【００４２】
校正部１５３は、校正データ記憶部１５４に記憶されている校正データに、対比結果を反映させて、更新する。例えば、ＳＡＷ振動子２１において、検知温度が温度Ｔ１の場合に共振信号Ｓｆ１を出力すると設定されており、収容部１０Ａ内が温度Ｔ１であるとき、アンテナ１４Ｂが共振信号Ｓｆ２を受信し、温度取得部１５２が校正データ記憶部１５４の校正データから温度Ｔ２を取得したものとする。
【００４３】
この場合、校正部１５３は、共振信号Ｓｆ２に対応する温度が温度Ｔ１となるよう、校正データ記憶部１５４に記憶されている校正データを調整する。これにより、ＳＡＷ振動子２１における周波数特性に誤差が生じた場合であっても、校正データにその誤差を反映させることで、検知装置１０は、測定用タグ２０が装着された被検体に関する温度をより正確に検知することができる。
【００４４】
また、検知装置１０に収容部１０Ａを備えることで、収容部１０Ａに収容した状態で測定用タグ２０を搬送することがで、さらに、検知装置１０の搬送後、そのままの状態で再校正し、校正後、測定用タグ２０を使用することができる。これにより、ユーザは、手間を要することなく、より正確な被検体の温度を検知することができる。
【００４５】
表示部１７は、計測部１５の出力された検出温度を表示する。また、測定用タグ２０の校正中である場合には、表示部１７はその旨のメッセージなどを表示してもよい。
【００４６】
開閉制御部１８は、ロック機構１０Ｂのロックの開閉制御を行う。具体的には、開閉制御部１８は、操作部１６から校正開始の操作入力を受け付け、操作部１６が校正を行っている間、ロック機構１０Ｂをロック状態にする。すなわち、収容部１０Ａの扉は開かないようになる。校正部１５３による校正を完了した場合、開閉制御部１８は、ロック機構１０Ｂをロック状態から解除し、収容部１０Ａの扉が開くようにする。
【００４７】
このように、校正中は収容部１０Ａの扉が開かないようにすることで、ユーザは収容部１０Ａに収容した測定用タグ２０に対する校正が完了したか否かを容易に判断することができる。
【００４８】
以下に、検知装置１０が備える収容部１０Ａについて詳述する。
【００４９】
検知装置１０は、一又は複数の測定用タグ２０を備えていてもよい。図３は一つの収容部１０Ａを備えた検知装置１０の例を示す模式図である。図４は、複数の収容部１０Ａを備えた検知装置１０の例を示す模式図である。図３及び図４における点線部は検知装置１０の内部にあることを示している。
【００５０】
図３の場合、測定用タグ２０はタブレット型であるとする。図３に示す検知装置１０の収容部１０Ａは、測定用タグ２０と同様の形状で、一つの測定用タグ２０が収容可能な大きさを有している。この収容部１０Ａの長手方向と対向するよう押出し板３０が平行に設けられている。押出し板３０は、バネ３１により収容部１０Ａ側に押し出されるようになっている。
【００５１】
測定用タグ２０は、収容部１０Ａと押出し板３０との間に一列に配列するよう収容される。このとき、測定用タグ２０は、押出し板３０を収容部１０Ａとは逆側に押すよう配列される。そして、図示しないが、押出し板３０側となる収容部１０Ａの側面は、自動又は手動により開閉可能としてある。収容部１０Ａの側面が開放された場合、バネ３１の復元力により押出し板３０が収容部１０Ａ側に押し出され、それに伴い、測定用タグ２０が収容部１０Ａ側に押し出される。
【００５２】
測定用タグ２０の一つが収容部１０Ａに収容されたときに、収容部１０Ａの開放した側面が自動又は手動で閉じるようになっている。これにより、収容部１０Ａには、一つの測定用タグ２０が収容される。そして、収容部１０Ａに測定用タグ２０を収容した後、操作部１６により校正開始の操作入力を行うことで、上述した測定用タグ２０の校正が開始される。校正が終了した後、収容部１０Ａから測定用タグ２０を取り出して使用することができる。
【００５３】
図４の場合、測定用タグ２０は、シート状、タブレット状又はそれ以外であってもよい。図４に示す検知装置１０は、一つの測定用タグ２０を収容できる収容部１０Ａを隔離して複数設けており、各収容部１０Ａにはそれぞれアンテナ１４Ｂが設けられている。
【００５４】
各収容部１０Ａに収容する測定用タグ２０のＳＡＷ振動子２１の共振周波数が同じである場合、各アンテナ１４Ｂからは、同じ周波数のパルス信号Ｓｐを送信することで、各測定用タグ２０の校正を行うことができる。
【００５５】
各収容部１０Ａに収容する測定用タグ２０のＳＡＷ振動子２１の共振周波数が異なる場合、各アンテナ１４Ｂからは、異なる周波数のパルス信号Ｓｐを送信することで、各測定用タグ２０の校正を行うことができる。
【００５６】
なお、検知装置１０に形成する収容部１０Ａの形状又は大きさは適宜変更可能である。また、収容部１０Ａの形成態様も適宜変更可能である。図５は、収容部１０Ａの形成態様の一例を示す図である。
【００５７】
図５（ａ）に示すように、検知装置１０に開口を有する矩形状の孔を形成し、その開口部分を開閉可能な扉１０Ｃを設けることで、収容部１０Ａを形成するようにしてもよい。この扉１０Ｃは、例えばバネ等の弾性部材により、平時は開放状態となる。また、収容部１０Ａの開口部分には、上述したロック機構１０Ｂにより突出したり、引っ込んだりする施錠部材４１が設けられており、扉１０Ｃには突出した施錠部材４１が挿入可能な孔４２が形成されている。
【００５８】
扉１０Ｃが閉じている状態で施錠部材４１が突出すると、施錠部材４１が孔４２に挿入され、扉１０Ｃが開かないようにできる。また、施錠部材４１が引っ込むことで、扉１０Ｃが開放可能となる。開放可能なると、扉１０Ｃは弾性部材により自動的に開放状態となる。すなわち、収容部１０Ａ内での測定用タグ２０の校正が終了すると、ロックが解除され、扉１０Ｃが自動で開くようになる。
【００５９】
また、図５（ｂ）に示すように、検知装置１０から取り出し可能な、開口を有する直方体形状の箱を収容部１０Ａとし手もよい。この場合、検知装置１０に開口を有する矩形状の孔を形成して、その開口から箱型の収容部１０Ａを検知装置１０に挿入する構成にしてもよい。
【００６０】
さらに、校正の完了を通知するものとして、図５（ａ）の扉１０Ｃの開閉制御を行うロック機構１０Ｂに替えて、収容部１０Ａの近傍にＬＥＤ（Light Emitting Diode）４３を設けるようにしてもよい。例えば、収容部１０Ａに収容した測定用タグ２０を校正している間は、ＬＥＤ４３を点灯または点滅させ、校正が完了したときにＬＥＤ４３を消灯させる。この場合、ユーザは、視覚的に校正の完了を確認できる。
【００６１】
また、一つの収容部１０Ａに複数の測定用タグ２０が収容可能としてもよい。図６は、複数の測定用タグ２０が収容可能な収容部１０Ａを備えた検知装置１０の例を示す模式図である。図６の場合、測定用タグ２０は、シート状、タブレット状又はそれ以外であってもよい。
【００６２】
図６に示す検知装置１０は一つの収容部１０Ａを備え、その収容部１０Ａには一つのアンテナ１４Ｂが設けられている。この場合、収容部１０Ａに収容される各測定用タグ２０のＳＡＷ振動子２１が同じ共振周波数である場合には、収容部１０Ａに複数の測定用タグ２０を収容しても一つのアンテナ１４Ｂにより校正することが可能となる。
【００６３】
また、ＳＡＷ振動子２１の共振周波数が異なっている場合であっても、アンテナ１４Ｂから送信するパルス信号Ｓｐの周波数を変更することで、各測定用タグ２０の校正が可能となる。この場合、アンテナの数を増やすことなく、共振周波数が異なる測定用タグ２０の校正を行うことができる。
【００６４】
なお、図６に示す検知装置１０が備える収容部１０Ａは、図５（ａ）又は図５（ｂ）に示す形成態様であってもよいし、他の形成態様であってもよい。
【００６５】
また、測定用タグ２０がシート状である場合、測定用タグ２０をリール状に巻回して、測定用タグ２０をリールから引き出して収容部１０Ａに収容させるようにしてもよい。図７は、シート状の測定用タグ２０を収容する収容部１０Ａを備えた検知装置１０の例を示す模式図である。
【００６６】
図７に示す検知装置１０は、携帯可能なラベル貼付機（所謂ラベラー）のような構成である。検知装置１０は、内部に測定用タグ２０が巻回されたリール３５を回転可能に支持しており、このリール３５から一の測定用タグ２０を自動又は手動で引き出し、収容部１０Ａに収容できるようにしてある。収容部１０Ａ内にまで引き出した測定用タグ２０を校正後、測定用タグ２０を外部に送り出すことで、校正済みの測定用タグ２０を使用することができる。
【００６７】
なお、検知装置１０の具体的構成などは、適宜設計変更可能であり、上述の実施形態に記載された作用及び効果は、本発明から生じる最も好適な作用及び効果を列挙したに過ぎず、本発明による作用及び効果は、上述の実施形態に記載されたものに限定されるものではない。
【符号の説明】
【００６８】
１０−検知装置（遠隔検知装置）
１０Ａ−収容部
１０Ｓ−温度センサ（第１取得手段）
１１−制御部
１２−送信信号生成部
１３−送受信部
１４Ａ−アンテナ
１４Ｂ−アンテナ（受信手段）
１５−計測部
２０−測定用タグ（無線機器）
２１−ＳＡＷ振動子
２２−コイル電極
１５１−周波数変換部
１５２−温度取得部（第２取得手段）
１５３−校正部（調整手段、対比手段）
１５４−校正データ記憶部（記憶手段）
【図１】
2012181675.tif 000003
【図２】
2012181675.tif 000004
【図３】
2012181675.tif 000005
【図４】
2012181675.tif 000006
【図５】
2012181675.tif 000007
【図６】
2012181675.tif 000008
【図７】
2012181675.tif 000009